(57)【要約】【課題】畑や花壇や鉢植えの雑草を、車椅子等に座った楽な姿勢でも、簡易にかつ効率よくとることができる草取り器具を提供する。【解決手段】草取り器具１０は、平板状で前端縁１２がほぼ直線の刃状になっている掬い部１１と、掬い部１１の後端にて掬い部に対して傾斜して取り付けられた棒状の柄部１６とを有するスコップ状になっている。掬い部１１は、前端縁１２と後端縁１３が真直ぐでかつ互いに平行であり、両側縁１４が傾斜したな略等脚台形状になっており、前端縁１２が尖った刃状に形成されている。また、前端縁１２の複数個所に長手方向に凹んだＶ字状の切欠き部１５を設けている。柄部１６は、丸棒状で後端縁１３側の中央に、掬い部１１に対して傾斜して溶接により一体で取り付けられている。【選択図】図１
2008194012.tif 000002
【特許請求の範囲】
【請求項１】
四角形の薄板であってその前端縁がほぼ直線の刃状になっている掬い部と、該掬い部の後端縁に取り付けられた棒状の柄部とを有するスコップ状であって、前記掬い部に前端縁から後端縁側に向けてＶ字状に凹んだ切欠き部を設けたことを特徴とする草取り器具。
【請求項２】
前記柄部が、前記掬い部の平面に対して傾斜して取り付けられたことを特徴とする請求項１に記載の草取り器具。
【請求項３】
互いに対向して配置された一対の細長い平坦な薄板である挟み板部が一端にて連結されてＶ字形状に形成され、該一対の挟み板部が一端を中心として該Ｖ字形状の中心角の範囲内で弾性的に変動可能にされており、該挟み板部の他端が直線の刃状になっていると共に、該刃状の先端に長手方向に凹んだＶ字状の切欠き部を設け、また前記一対の挟み板部の長手方向中間位置に、該一対の挟み板部を重ね合わせた状態で解除可能に固定させる固定手段を設けたことを特徴とする草取り器具。
【請求項４】
互いに対向して配置された一対の細長い平坦な薄板である挟み板部が一端にて連結されてＶ字形状に形成され、該一対の挟み板部が一端を中心として該Ｖ字形状の中心角の範囲内で弾性的に変動可能にされており、一方の挟み板部の他端縁にて直角に曲げられて他方の挟み板部に向けて突出して該他方の挟み板部の先端がほぼ接触するようにされた突出片を設けており、該突出片の先端縁が直線の刃状になっていると共に、該先端縁に前記挟み板部の方向に凹んだＶ字状の複数の切欠き部を設けたことを特徴とする草取り器具。
【発明の詳細な説明】
【技術分野】
【０００１】
本発明は、畑や花壇や鉢植えの雑草を取るための草取り器具に関する。
【背景技術】
【０００２】
従来、畑等での草取りについては、例えば鍬等で表面を削って草を土と分離して取り出したり、鎌で草を刈ったりすることにより行われていた。また、例えば特許文献１に示すように、鍬の上部に草取り用の鋸の刃状を装備した鍬が開示されている。しかし、鍬等では草以外の部分も掘り起こすことになり、無駄が多く効率の悪い作業になっており、また、鎌で刈る方法は、土の中の根の部分をとることが困難であった。また、鍬を用いる場合は、立った姿勢で作業することになるため、きめ細かに草をとることは煩雑であり、鍬を振り下ろす作業の負担も大きいため、例えば子供や車椅子に座った人等の非力な人達が楽な姿勢で少ない負担で行うことは困難であった。また、特に長さの短い雑草等については、直接手で掴みにくく、抜き取ることが困難であるという問題もある。
【特許文献１】実用新案登録第３０７４４０１号公報
【発明の開示】
【発明が解決しようとする課題】
【０００３】
本発明は、上記問題を解決しようとするもので、畑や花壇や鉢植えの雑草を、子供や車椅子に座った人等の非力な人達でも楽な姿勢で少ない負担で簡易にかつ効率よくとることができる草取り器具を提供することを目的とする。
【課題を解決するための手段】
【０００４】
本発明の第１の構成上の特徴は、四角形の薄板であってその前端縁がほぼ直線の刃状になっている掬い部と、掬い部の後端縁に取り付けられた棒状の柄部とを有するスコップ状であって、掬い部に前端縁から後端縁側に向けてＶ字状に凹んだ切欠き部を設けたことにある。
【０００５】
第１の特徴においては、草取り器具の柄部を手で持って前方に押して、草の生えた地面に掬い部を差し込むことにより、掬い部先端のＶ字状の切欠き部に草が集められて入り込んで切欠き部にしっかり引っ掛かるようになる。その状態で、柄部を下方に押すことにより、てこの原理によって切欠き部に引っ掛かった草がわずかな力で簡単に引き抜かれる。そのため、この草取り器具を用いることにより、畑や花壇や鉢植えの雑草を、子供や車椅子に座った人等の非力な人達でも楽な姿勢で少ない負担で簡易にかつ効率よくとることができるので便利である。なお、第１の特徴において、柄部が、掬い部の平面に対して傾斜して取り付けられることが好ましく、これにより、柄部を下方に押すことによるてこの原理がより効果的に作用し、切欠き部に引っ掛かった草をさらにわずかな力で簡単に引き抜くことが可能になる。
【０００６】
また、本発明の第２の特徴は、互いに対向して配置された一対の細長い平坦な薄板である挟み板部が一端にて連結されてＶ字形状に形成され、一対の挟み板部が一端を中心としてＶ字形状の中心角の範囲内で弾性的に変動可能にされており、挟み板部の他端が直線の刃状になっていると共に、刃状の先端に長手方向に凹んだＶ字状の切欠き部を設け、また一対の挟み板部の長手方向中間位置に、一対の挟み板部を重ね合わせた状態で解除可能に固定させる固定手段を設けたことにある。
【０００７】
第２の特徴においては、挟み板部の一端側を手で持って挟んで全体を重ね合わせ、固定手段で固定させた状態で前方に押して、草の生えた地面に刃状の先端側を差し込むことにより、先端のＶ字状の切欠き部に草が集められて入り込んで切欠き部にしっかり引っ掛かるようになる。その状態で、挟み板部の一端側を下方に押すことにより、てこの原理によって切欠き部に引っ掛かった草がわずかな力で簡単に引き抜かれる。そのため、畑や花壇や鉢植えの雑草を、子供や車椅子に座った人等の非力な人達でも楽な姿勢で少ない負担で簡易にかつ効率よくとることができるので便利である。また、この草取り器具は挟み板部の幅が細いので、特に鉢植え等の狭い面積内に生えた草を抜き取るのに好適である。
【０００８】
さらに、草取りの際には、固定手段によって一対の挟み板部が長手方向中間位置でロックされていることにより、一対の挟み板部が重ね合わされた状態が確実に維持されるため、挟み板部相互の離脱を気にすることなく草取りを行うことができる。なお、固定手段による一対の挟み板部のロック状態を解除させることにより、草取り用器具を、草やごみを挟んだりするごみ取り具としてあるいは火箸としても使用することができる。
【０００９】
また、本発明の第３の特徴は、互いに対向して配置された一対の細長い平坦な薄板である挟み板部が一端にて連結されてＶ字形状に形成され、一対の挟み板部が一端を中心としてＶ字形状の中心角の範囲内で弾性的に変動可能にされており、一方の挟み板部の他端縁にて直角に曲げられて他方の挟み板部に向けて突出して他方の挟み板部の先端がほぼ接触するようにされた突出片を設けており、突出片の先端縁が直線の刃状になっていると共に、先端縁に挟み板部の方向に凹んだＶ字状の複数の切欠き部を設けたことにある。
【００１０】
第３の特徴においては、挟み板部の一端側を手で持ち、一対の挟み板部の先端で高さの低い草を挟むことにより、一方の挟み板部の先端縁に設けた突出片と他方の挟み板の先端とで草が強固に挟まれ、長さの短い雑草等でも突出片の先端縁に設けた複数の切欠き部に強固に食い込んだ状態で挟まれる。その状態で、草取り器具を引っ張ることにより、手では掴み取りにくい長さの短い草でも小さい力で容易に引き抜くことができる。
【発明の効果】
【００１１】
本発明によれば、草取り器具の前端縁を地面に差し込んで先端のＶ字状の切欠き部に草を集めてしっかり引っ掛け、その後、柄部や挟み板部を下方に押すことにより、てこの原理によって切欠き部に引っ掛かった草をわずかな力で簡単に引き抜くことができるので、畑や花壇や鉢植えの雑草を、子供や車椅子に座った人等の非力な人達でも楽な姿勢で少ない負担で簡易にかつ効率よくとることができる。また、互いに対向して配置された一対の細長い平坦な薄板である挟み板部の一方の先端縁にて直角に曲げられた先端縁にＶ字状の複数の切欠き部を有する突出片を設けることにより、手では掴み取りにくい長さの短い草でも突出片と挟み板部先端とで強固に挟みこむことができ、短い草でも小さい力で容易に引き抜くことができる。
【発明を実施するための最良の形態】
【００１２】
以下、本発明の実施の形態について説明する。図１、図２は、実施例１に係る草取り器具を平面図及び正面図により示したものである。草取り器具１０は、金属製の平板状での前端縁１２が直線の刃状になっている掬い部１１と、掬い部１１の後端にて掬い部に対して傾斜して取り付けられた棒状の柄部１６とを有するスコップ状になっている。掬い部１１は、前端縁１２と後端縁１３が真直ぐでかつ互いに平行であり、両側縁１４が後端縁に向けて幅が狭くなる方向に傾斜した略等脚台形状になっており、前端縁１２が尖った刃状に形成されている。さらに、前端縁１２の複数個所には、後端縁１３方向にＶ字状に凹んだ切欠き部１５が互いに離間して設けられている。
【００１３】
柄部１６は、鉄製の丸棒である棒状部１７と、棒状部１７の一端に一体で設けられた木製の円筒状の握り部１８とを有している。棒状部１７は、他端側の長手方向の２箇所でそれぞれ略直角に折り曲げかつ折り返されて、同一平面内に配置された先端側部１７ａと中間曲げ部１７ｂと大部分を占める後側部１７ｃになっており、後側部１７ｃが先端側部１７ａに対して平行から離れてわずかに広がる方向に傾斜している。後側部１７ｃの先端は、握り部１８の一端に固定された止金１８ａに挿入されて止金１８ａを締め付けることにより握り部１８に取り付けられている。棒状部１７は、先端側部１７ａにて掬い部１１表面側の後端縁１３の中央に、中間部１７ｂが掬い部１１に対して略垂直になるように配置されて溶接により一体で固定されている。
【００１４】
実施例１においては、柄部１６の握り部１８を手で持って前方に押して、草の生えた地面に掬い部１１を差し込むことにより、掬い部１１先端のＶ字状の切欠き部１５に草が集められて入り込み切欠き部１５にしっかり引っ掛かるようになる。その状態で、握り部１８を下方に押すことにより、掬い部１１後端縁１３を中心としたてこの原理によって切欠き部１５に引っ掛かった草がわずかな力で簡単に引き抜かれる。そのため、畑や花壇や鉢植えの雑草を、子供や車椅子に座った人等の非力な人達でも、楽な姿勢で少ない負担で簡易にかつ効率よく取ることができるので便利である。
【００１５】
なお、柄部の変形例として、図３に示すように、棒状部１９として、先端側の一箇所のみを折り曲げて、中間曲げ部を無くして先端側部１９ａと後側部１９ｂとにより構成することができる。この場合、先端側部１９ａと後側部１９ｂの角度を、実施例１の場合よりわずかに大きく１０°程度にすることが望ましい。それにより、握り部１８を押すことによるてこの原理を有効に発揮させることができる。
【００１６】
次に、実施例２について説明する。図４、図５は、実施例２に係る草取り器具を平面図及び正面図により示し、図６は草取り器具の使用形態を正面図により示したものである。草取り器具２０は、互いに対向して配置された一対の細長い平坦な金属板である挟み板部２１が一端にて連結されて支点となっており他端側が離間したＶ字形状であり、ごみ取り器具や火箸としても使用されるものである。挟み板部２１は、両端を除いた長尺の中間部分が幅方向断面が円弧状の中間部２２になっており、両端の短い部分が平板状の掬い部２３と連結板部２４になっており、一対の挟み板部２１が、各連結板部２４の先端にて一体で連結されている。掬い部２３は、先端が直線の刃状になっており、刃状の先端に長手方向に凹んだＶ字状の切欠き部２５を設けている。
【００１７】
一方の中間部２２の長手方向中間位置の幅方向両端には、一対の金属板製の固定片２６が板に略垂直にかつ互いに対向して取り付けられている。固定片２６は、長方形でその突出先端近傍位置に長手方向に伸びたスリット状の挿入孔２７を有している。一対の挟み板部２１を重ね合わせたとき、一対の固定片２６が反対側の中間部２２の幅方向両端を挟んだ状態にされ、その際、一対の固定片２６の挿入孔２７が反対側の中間部２２外面に位置することになる。この状態で、一対の挿入孔２７に略長方形の薄板である係止片２８を挿入して係止させることにより、図６に示すように、一対の挟み板部２１が互いに重ね合わされた状態で強固にロックされるようになっている。すなわち、固定片２６と係止片２８とにより固定手段が構成されている。なお、係止片２８については板状に限らず、針金等を枠状に形成したものであってもよい。また、一対の中間部２２の連結板部２４近傍位置には、両者を連結するコイルバネ２９が取り付けられており、一対の挟み板部２１間を略１５°程度の中心角度を保持するように付勢すると共に、一対の挟み板部２１が中心角度の略１５°の範囲内で弾性的に変動できるようにされている。
【００１８】
実施例２においては、一対の挟み板部２１を重ね合わせて、一対の固定片２６の挿入孔２７に係止片２８を挿入して強固にロックした状態で、中間部２２の連結板部２４側を手で持って鉢植え内の土に刃状の先端側を差し込むことにより、掬い部２３に設けたＶ字状の切欠き部２５に草が集められて入り込み切欠き部２５にしっかり引っ掛かるようになる。その状態で、中間部２２を下方に押すことにより、てこの原理によって切欠き部２５に引っ掛かった草がわずかな力で簡単に引き抜かれる。そのため、畑や花壇や鉢植えの雑草を、子供や車椅子に座った人等の非力な人達が楽な姿勢で少ない負担で簡易にかつ効率よくとることができるので便利である。その際、係止片２８を固定片２６に係止させて一対の挟み板部２１をロックさせることにより、一対の挟み板部２１が重ね合わされた状態が確実に維持されるため、挟み板部２１相互の離脱を気にすることなく草取りを行うことができる。また、挟み板部２１の幅が細いので、特に鉢植え等の狭い面積内に生えた草を抜き取るのに好適である。なお、係止片２８を固定片２６から取り外して一対の挟み板部のロック状態を解除させることにより、草取り用器具２０を、草やごみを挟んだりするごみ取り具としてあるいは火箸としても使用することができる。
【００１９】
次に、実施例２の変形例について、図７〜図１０により説明する。
変形例の草取り器具３０は、実施例２に対して固定手段と連結板部の構造が異なっている。草取り器具３０は、互いに対向して配置された一対の細長い平坦な金属板である挟み板部３１が一端にて連結されて他端側が離間したＶ字形状である。挟み板部３１は、実施例２の中間部２２及び掬い部２３とほぼ同一形状の一対の中間部３２及び掬い部３３を有しており、一対の挟み板部３１が、各中間部３２の他端において１つの円弧形の板材である連結板部３５によって一体で連結されている。一対の挟み板部３１間は略１５°程度の中心角度で保持されており、連結板部３５の弾性力により一対の挟み板部３１が中心角度の略１５°の範囲内で弾性的に変動できるようになっている。
【００２０】
図７、図８に示すように、一方の中間部３２の長手方向中間位置の幅方向中央には、１つの固定片３６が板に略垂直に取り付けられている。固定片３６は、長方形でその突出先端近傍位置に長手方向に伸びたスリット状の挿入孔３７を有している。図７、図１０に示すように、反対側の中間部３２には、固定片３６との対向位置にスリット状の固定孔３８が設けられ、さらに中間部３２内側面の固定孔３８を挟んだ両側に細い丸棒状のガイド棒３８ａが固定されている。一対の挟み板部３１を重ね合わせたとき、固定片３６がガイド棒３８ａに導かれて反対側の中間部３２に設けた固定孔３８にスムーズに挿入され、その際、固定片３６の挿入孔３７が反対側の中間部３２外面に位置することになる。この状態で、挿入孔３７に略長方形の薄板である係止片３９を挿入して係止させることにより、図９に示すように、一対の挟み板部３１が重ね合わされた状態で強固にロックされるようになっている。すなわち、固定片３６と係止片３９とにより固定手段が構成されている。掬い部３３は、先端が直線の刃状になっており、刃状の先端に長手方向に凹んだＶ字状の切欠き部３４を設けている。
【００２１】
上記変形例２においては、一対の挟み板部３１を重ね合わせて、一対の固定片３６の挿入孔３７に係止片３９を挿入して強固にロックした状態で、中間部３２の連結板部３５側を手で持って鉢植え内の土に刃状の掬い部３３を差し込むことにより、上記実施例２と同様にてこの原理によって切欠き部３４に引っ掛かった草がわずかな力で簡単に引き抜かれる。そのため、実施例２と同様に、畑や花壇や鉢植えの雑草を、子供や車椅子に座った人等の非力な人達でも楽な姿勢で少ない負担で簡易にかつ効率よくとることができる効果が得られる。
【００２２】
次に、実施例３について説明する。図１１、図１２は、実施例３に係る草取り器具を平面図及び正面図により示し、図１３は草取り器具の使用形態を正面図により示したものである。草取り器具４０は、上記実施例２の草取り器具２０と同様に、互いに対向して配置された一対の細長い平坦な金属板である挟み板部４１が一端にて連結されており他端側が離間したＶ字形状になっている。挟み板部４１は、両端を除いた長尺の中間部分が幅方向断面が円弧状の中間部４２になっており、両端の短い部分が平板状の先端部４３ａ，４３ｂと連結板部４４になっており、一対の挟み板部４１が、各連結板部４４の先端４４ａにて一体で連結されている。一方の先端部４３ａ（図１２の左側）の先端には、直角に折り曲げられて他方の先端部４３ｂに向けてわずかに突出した突出片４５が一体で設けられている。両先端部４３ａ，４３ｂを重ね合わせたとき、他方の先端部４３ｂの先端は突出片４５にほぼ接触するようになっている。突出片４５は、図１４に示すように、先端が直線の刃状になっており、刃状の先端に先端部４３ａ方向に凹んだＶ字状の切欠き部４６を設けている。
【００２３】
他方の中間部４２（図１２の右側）の先端部４３ｂ近傍位置の幅方向両端には、一対の金属板製のガイド片４７が一方の中間部４２（図１２の左側）に向けて板に略垂直にかつ互いに対向して取り付けられている。ガイド片４７は、長方形でその突出先端近傍位置に長手方向に伸びたスリット状の挿入孔４８を有している。ガイド片４７は、一対の挟み板部４１を重ね合わせる際に、一対のガイド片４７が反対側の中間部４２の幅方向両側を挟んで導き、一対の挟み板部４１を位置ずれしないように重ね合わせられるようにするものである。
【００２４】
一方の中間部４２外側面の長手方向中間位置には、３つの半円弧形の指係合部５１が外側面に対して垂直に突出して長手方向に沿って並列に取り付けられている。また、他方の中間部４２外側面の長手方向中間位置にも、１つの半円弧形の指係合部５２が外側面に対して垂直に突出して長手方向に沿って並列に取り付けられている。これらの指係合部５１,５２に指を差し込んで中間部４２を握ることにより、一対の挟み板部４１の先端部４３ａ，４３ｂを緊密に重ね合わせることができる。なお、指係合部５１,５２の形状については円弧状に限らず、また、指係合部５１,５２を必要に応じて省くこともできる。また、一対の中間部４２の連結板部４４近傍位置には、両者を連結するコイルバネ５３が取り付けられており、一対の挟み板部４１間を略１５°程度の中心角度を保持するように付勢すると共に、一対の挟み板部４１が中心角度の略１５°の範囲内で弾性的に変動できるようにされている。
【００２５】
実施例３においては、指係合部５１,５２に指を差し込んで中間部４２を握り、一対の挟み板部４１の先端で高さの低い草を挟むことにより、一方の挟み板部４１の先端部４３ａに設けた突出片４５と他方の挟み板４１の先端とで草が強固に挟まれ、長さの短い雑草等でも突出片４５の先端部４３ａに設けた複数の切欠き部４６に強固に食い込んだ状態で挟まれる。その状態で、草取り器具４０を引っ張ることにより、手では掴み取りにくい長さの短い草でも小さい力で容易に引き抜くことができる。そのため、畑や花壇や鉢植えの短い雑草等を、子供や車椅子に座った人等の非力な人達でも楽な姿勢で少ない負担で簡易にかつ効率よく草をとることができるので便利である。指係合部５１,５２に指を差し込むことにより、草取り用器具が手から離れにくくなるため、手の力の弱い人でも草取り作業が容易になる。また、草取り用器具４０を、草やごみを挟んだりするごみ取り具としてあるいは火箸としても使用することができる。なお、草取り器具４０を保管する際、ガイド片４７の挿入孔４８に実施例２で示した係止片２８等を挿入して固定することにより、コンパクトな保管が可能になる。
【００２６】
なお、上記実施例１〜３、変形例に示した草取り器具の具体的構造等については一例であり、本発明の趣旨を逸脱しない範囲で、種々変更して実施することが可能である。
【産業上の利用可能性】
【００２７】
本発明の草取り器具は、柄部や挟み板部を手で持って前方に押して、草の生えた地面に掬い部を差し込むことにより、掬い部先端のＶ字状の切欠き部に草が集められて入り込み切欠き部にしっかり引っ掛かるようになり、その状態で、柄部を下方に押すことにより、てこの原理によって切欠き部に引っ掛かった草がわずかな力で簡単に引き抜かれる。そのため、畑や花壇や鉢植えの雑草を、子供や車椅子に座った人等の非力な人達でも簡易にかつ効率よくとることができるので、有用である。
【図面の簡単な説明】
【００２８】
【図１】本発明の実施例１である草取り器具の概略構成を示す平面図である。
【図２】同草取り器具を示す正面図である。
【図３】実施例１の変形例である同草取り器具を示す正面図である。
【図４】実施例２である草取り器具の概略構成を示す平面図である。
【図５】同草取り器具を示す正面図である。
【図６】同草取り器具の使用形態を示す正面図である。
【図７】実施例２の変形例である草取り器具の概略構成を示す平面図である。
【図８】同草取り器具を示す正面図である。
【図９】同草取り器具の使用状態を示す正面図である。
【図１０】図８のＸ線方向を拡大して示す要部拡大図である。
【図１１】実施例２である草取り器具の概略構成を示す平面図である。
【図１２】同草取り器具を示す正面図である。
【図１３】同草取り器具の使用形態を示す正面図である。
【図１４】図１２のＹ線方向を拡大して示す要部拡大図である。
【符号の説明】
【００２９】
１０…草取り器具、１１…掬い部、１５…切欠き部、１６…柄部、２０…草取り器具、２１…挟み板部、２２…中間部、２３…掬い部、２５…切欠き部、２６…固定片、２８…係止片、３０…草取り器具、３１…挟み板部、３２…中間部、３３…掬い部、３４…切欠き部、３５…連結板部、３６…固定片、３８…固定孔、３９…係止片、４０…草取り器具、４１…挟み板部、４２…中間部、４３ａ，４３ｂ…先端部、４５…突出片、４６…切欠き部。
【図１】
2008194012.tif 000003
【図２】
2008194012.tif 000004
【図３】
2008194012.tif 000005
【図４】
2008194012.tif 000006
【図５】
2008194012.tif 000007
【図６】
2008194012.tif 000008
【図７】
2008194012.tif 000009
【図８】
2008194012.tif 000010
【図９】
2008194012.tif 000011
【図１０】
2008194012.tif 000012
【図１１】
2008194012.tif 000013
【図１２】
2008194012.tif 000014
【図１３】
2008194012.tif 000015
【図１４】
2008194012.tif 000016